(57)【特許請求の範囲】
【請求項１】
棒状の２次側端子を有する昇圧トランスと、
前記２次側端子に電気的に接続される帯状の端子部を有し高電圧放電によってオゾン及び紫外線を発生させる放電手段と、
前記端子部を両面側から挟み込んで支持する一対の支持手段と、
前記紫外線が照射されることにより生じる光触媒作用によって気体中に含まれる臭気成分や有害物質などの分解を行う光触媒モジュールとを備え、
前記一対の支持手段のうちの一方の前記端子部と対向する部分には前記端子部の長手方向に延びる溝部が設けられ、前記２次側端子は、他方の支持手段と前記端子部との間に前記端子部を前記溝部に押し入れるように挿入されて前記端子部と接続されるように構成されていることを特徴とする脱臭装置。
【請求項２】
一対の支持手段は嵌合されるように構成されていると共に、前記一対の支持手段を嵌合したときに係合する係合手段と、前記係合手段の近傍に設けられ当該係合手段の係合を緩めるための切欠とを備え、
昇圧トランスには、端子部と他方の支持手段との間に２次側端子を挿入したときに前記切欠に係合して当該昇圧トランスを前記一対の支持手段に固定する係合爪部が設けられていることを特徴とする請求項１記載の脱臭装置。
【請求項３】
一対の支持手段は嵌合されるように構成されていると共に、昇圧トランスに設けられ端子部と他方の支持手段との間に２次側端子を挿入したときに前記一対の支持手段を覆うことによりその嵌合状態を保持する壁部を備えることを特徴とする請求項１記載の脱臭装置。
【発明の詳細な説明】
【０００１】
【発明の属する技術分野】
本発明は、気体中の臭気成分を取り除くことにより気体を脱臭する脱臭装置に関する。
【０００２】
【発明が解決しようとする課題】
例えば冷蔵庫においては、庫内の食品に起因する各種臭気の低減や他の食品への臭い移りを防止するために、種々の脱臭装置を庫内に配置することが従来より行われている。このような脱臭装置の一つとして、本出願人は、オゾンの酸化分解作用と紫外線による光触媒作用とを組み合わせた新規な構成の脱臭装置を先に出願している（特願２０００−１８１５１８）。前記脱臭装置は、高電圧放電によってオゾン及び紫外線を発生させる放電手段、前記紫外線が照射されることにより生じる光触媒作用によって臭気成分や有害物質を分解する光触媒モジュール、前記放電手段に高電圧を印加するための昇圧トランスとを備えて構成されている。
【０００３】
この場合、前記放電手段は平行配置された一対の電極から構成されている。前記電極には、それぞれ前記昇圧トランスの一対の２次側端子が接続されており、以て、前記電極間に昇圧トランスを介して高電圧が印加される。
【０００４】
ところで、前記昇圧トランスの２次側端子及び前記電極は、いずれもオゾンによる腐食を防止するためにステンレス（ＳＵＳ）製とすることが考えられている。ＳＵＳ製の部品どうしは半田付けできないため、ねじで締付けることにより接続する方法が一般的に採用されている。ところが、ねじによる部品の接続は手間がかかり、また、ねじが緩んで接続不良になるおそれがあるといった欠点がある。
【０００５】
本発明は上記事情に鑑みてなされたものであり、その目的は、昇圧トランスを介して高電圧が印加されることによりオゾン及び紫外線を発生する放電手段を備えたものにおいて、昇圧トランスの２次側端子と放電手段の電極とを簡単且つ確実に接続することができる脱臭装置を提供するにある。
【０００６】
【課題を解決するための手段】
本発明の請求項１の脱臭装置は、棒状の２次側端子を有する昇圧トランスと、前記２次側端子に電気的に接続される帯状の端子部を有し高電圧放電によってオゾン及び紫外線を発生させる放電手段と、前記端子部を両面から挟み込むように支持する一対の支持手段と、前記紫外線が照射されることにより生じる光触媒作用によって冷気中に含まれる臭気成分や有害物質などの分解を行う光触媒モジュールとを備え、前記一対の支持手段のうちの一方の前記端子部と対向する部分には前記端子部の長手方向に延びる溝部を設けらると共に、前記２次側端子を、他方の支持手段と前記端子部との間に前記端子部を前記溝部に押し入れるように挿入して前記端子部と接続されるように構成したところに特徴を有する。
【０００７】
上記構成によれば、２次側端子が他方の支持手段と端子部との間に挿入されることに応じて前記端子部は弾性変形して前記溝部内に押し入れられる。この結果、２次側端子は、前記端子部の復元力により他方の支持手段に強く押しつけられた状態で前記端子部と他方の支持手段との間に支持される。
【０００８】
この場合、一対の支持手段は嵌合されるように構成すると共に、前記一対の支持手段を嵌合したときに係合する係合手段と、前記係合手段の近傍に設けられ当該係合手段の係合を緩めるための切欠とを設け、昇圧トランスに、端子部と他方の支持手段との間に２次側端子を挿入したときに前記切欠に係合して当該昇圧トランスを前記一対の支持手段に固定する係合爪部を設けることも良い構成である（請求項２の発明）。
【０００９】
上記構成によれば、端子部と他方の支持手段との間に２次側端子を挿入すると昇圧トランスは支持手段に固定される。このため、２次側端子が端子部と他方の支持手段との間から抜け出て２次側端子と端子部とが接続不良になることを極力防止できる。また、上記構成では係合手段の係合を緩めるための切欠を係合爪部の被係合部として利用したので、被係合部を特別に設けなくても済む。
【００１０】
更に、一対の支持手段は嵌合されるように構成すると共に、昇圧トランスに、端子部と他方の支持手段との間に２次側端子を挿入したときに前記一対の支持手段を覆うことによりその嵌合状態を保持する壁部を設けることも良い構成である（請求項３の発明）。
【００１１】
上記構成によれば、端子部と他方の支持手段との間に２次側端子を挿入した後に前記一対の支持手段の嵌合が外れて、２次側端子と端子部とが接続不良になることを極力防止できる。
【００１２】
【発明の実施の形態】
以下、本発明の一実施例を図１ないし図１４を参照しながら説明する。まず、図１は、本実施例に係る脱臭装置の設置部位としての冷蔵庫の縦断側面図を示すものである。この図１において、断熱箱体からなる冷蔵庫本体１の内部は、断熱仕切壁２により上部の冷蔵室３と下部の冷凍室４とに仕切られている。前記冷蔵庫は、前記冷蔵室３と冷凍室４とが前記断熱仕切壁２により分離されており、それぞれ専用の冷却器（冷蔵室用冷却器３ａ，冷凍室用冷却器４ａ）により生成される冷気によって内部が冷却される構成となっている。本実施例においては、前記冷蔵室３内の冷気循環経路に脱臭装置５が配設されており、以下、前記冷蔵室３の構成を中心に説明する。
【００１３】
即ち、前記冷蔵室３内の下部には、仕切板６により野菜室７が形成されており、前記野菜室７の奥部には仕切壁８により冷蔵室用冷却器室９が形成されている。前記野菜室７内には、下ケース１０及びこの下ケース１０の上部に搭載された上ケース１１が収納されている。前記上ケース１１の上面には冷気流出孔１２ａを有するケースカバー１２が開閉可能に装着されており、前記ケースカバー１２と前記仕切板６との間に冷気通路１３が形成されている。
【００１４】
前記冷蔵室３内の下部には、チルドケース１４が配設されており、前記チルドケース１４と前記仕切板６との間に冷気通路１５が形成されている。更に、前記冷蔵室３内の奥部及び上部には、略Ｌ字状のダクトカバー１６により冷気ダクト１７が形成されている。前記ダクトカバー１６には、複数の冷気吐出孔１８が形成されている。
【００１５】
また、前記冷却器室９内の上部には冷蔵室用ファン装置１９が配設されており、このファン装置１９に対応して前記仕切壁８の上部には円筒状の冷気吐出部２０が設けられている。前記冷気吐出部２０の前端開口部は、前記上ケース１１内に位置している。これに対して、前記冷却器室９内の下部には前記冷蔵室用冷却器３ａが配設されている。そして、前記仕切壁８の下部の前部には、ルーバ状の冷気吸込口２２が設けられている。
【００１６】
また、冷蔵庫本体１の下部には機械室２３が形成されており、その内部には冷凍サイクルのコンプレッサ２４が配設されている。前記コンプレッサ２４はコンプモータを駆動源とするレシプロ形のものである。
【００１７】
一方、前記仕切板６の右後部には前記脱臭装置５が配設されている。以下、図２ないし図６を参照しながら脱臭装置５及び仕切板６の構成について説明する。前記脱臭装置５は、ケース本体２５及びこのケース本体２５の上面開口部を覆うカバー２６からなるユニットケース２７と、前記ケース本体２５内に配置される昇圧トランス２８、光触媒組立２９、オゾン分解触媒３０とから構成されている。
【００１８】
具体的には、前記ケース本体２５内の左部には、仕切壁３１によってトランス室３２が形成されており、そのトランス室３２の内部に前記昇圧トランス２８が配置されるように構成されている。
【００１９】
前記昇圧トランス２８は、１次コイル、２次コイル、磁心等（いずれも図示せず）を合成樹脂によりモールド成形することにより構成されている。前記昇圧トランス２８は、給電線３３を介して図示しない１次側端子から給電されるように構成されている。また、図２に示すように、前記昇圧トランス２８のうち図２中右部には一対の２次側端子３４ａ，３４ｂが突出している。更に、前記昇圧トランス２８のうち図２中右部には、前記２次側端子３４ａ，３４ｂ間の絶縁距離を確保するための壁部３５ａ，３５ｂが前記端子３４ａ，３４ｂを三方から囲むように設けられている。尚、本実施例においては、前記壁部３５ａ，３５ｂは一体的に形成されている。更にまた、前記昇圧トランス２８の図２中右部の上下部には、爪部３６ａ，３６ｂが設けられている。
【００２０】
前記ケース本体２５内のうち前記トランス室３２以外の空間は冷気流通室３７とされており、その底部の前部には左右方向に延びる防護壁３８が立設されている。前記防護壁３８の高さ寸法は、前記ケース本体２５の高さ寸法の約半分に設定されている。また、前記冷気流通室３７のうち前後方向の中央部には、前記光触媒組立２９が配置されるように構成されており、ケース本体２５の底部のうち光触媒組立２９の配置部分には位置決め用のリブ３９が設けられている。前記光触媒組立２９の構成については後述する。
【００２１】
また、冷気流通室３７の最後部には、前記オゾン分解触媒３０が配置されるようになっており、その配置部分の底部には多数の矩形状の通気孔４０ａを有する格子枠部４０が設けられている。前記オゾン分解触媒３０は、例えば酸化マンガンベースのセラミック製ハニカム（成形品）或は金属ハニカムを矩形板状に成形してコア材としたものに、触媒成分を固定して構成されている。このようにハニカム構造とすることで、オゾン分解触媒３０とオゾンや臭気成分との接触面積をより大きく確保して、分解効率を向上させるようにしている。前記オゾン分解触媒３０は、ハニカム形状による通気方向が上下方向となるように格子枠部４０上に配置されている。
【００２２】
尚、前記オゾン分解触媒３０のコア材は非常に脆く、組み付け作業時に不用意に触れると破損するおそれがある。そこで、本実施例では前記オゾン分解触媒３０の外周部にソフトテープ３０ａを巻き付け、組み付け作業に破損することを防止している。
【００２３】
前記カバー３０は、その下面に立設されたボス部４１をケース本体２５に設けられた孔部４２に挿通してねじ４３を螺挿することにより前記ケース本体２５に取付けられるように構成されている。前記カバー３０の前部には、下方に延びるルーバ４４が一体的に設けられており、前記カバー３０をケース本体２５に取付けたときに前記ルーバ４４の下端部がケース本体２５の前端部に上方から当接するように構成されている。前記ルーバ４４により、ユニットケース２７内に異物が侵入することが防止されるようになっている。
【００２４】
また、カバー３０の下面のうち前記ルーバ４４のすぐ後方部には、左右方向一杯に延びる防護壁４５が設けられている。図３に示すように、前記防護壁４５とケース本体２５側の防護壁３８とは、ユニットケース２７内において前後にオフセットして配置されている。これにより、冷気流通室３７内の冷気の流通を妨げることなく、例えば針金状の異物Ａ（図３に二点鎖線で示す）の侵入を防止するように構成されている。更に、前記カバー３０の下面のうちカバー３０をケース本体２５に取付けたときにオゾン分解触媒３０の上方に位置する部分には、下方に延びる３個のオゾン拡散部材４６が設けられている。更にまた、前記カバー３０の後部には、孔部４８を有するリブ４７が設けられている。
【００２５】
これに対して、図２及び図３に示すように、前記仕切板６の右部の後ろ寄り部分には、脱臭装置５を組み付けるための矩形容器状の取付取付凹部４９が形成されている。前記仕切板６のうち前記取付凹部４９の両側には、庫内の循環冷気を脱臭装置５を介さずに冷蔵室３から野菜室７に直接流入させるための流通口５０が設けられている。前記取付凹部４９の後半部に前記ユニットケース２７が設置されるように構成されており、その底部には円形状の水抜き孔５１及び矩形状の開口５２が設けられている。前記開口５２は、ユニットケース２７が配置されたときに前記格子枠部４０の下部に位置している。
【００２６】
また、前記取付凹部４９の前部には傾斜面５３が設けられている。更に、前記取付凹部４９の底部のうちユニットケース２７のルーバ４４が位置する部位の前部には、長円状の水抜き孔５４が形成されている。前記水抜き孔５４は、使用者が誤って庫内に水等をこぼしたときに、その水等がユニットケース２７内に侵入することを防止するためにものである。更に、前記取付凹部４９の後半部の周縁部には、リブ５５が形成されている。前記リブ５５も、周辺部から水等がユニットケース２７内に侵入することを防止するためにものである。
【００２７】
前記ユニットケース２７は、前記カバー３０の孔部４８を、取付凹部４９の後側に設けられた孔（図示せず）に合わせて上方からファスナー５７を挿入することにより、前記ユニットケース２７が取付凹部４９に取り付けられるようになっている。
【００２８】
次に、光触媒組立２９の構成について図６及び図７を参照しながら説明する。まず、光触媒組立２９の分解斜視図を示す図６において、光触媒組立２９は、第１ケース５８及び第２ケース５９からなるケース６０と、前記ケース６０内に収容される放電手段たる第１及び第２電極部材６１及び６２、緩衝部材たるスペーサ６３及び６４、光触媒モジュール６５とから構成されている。前記第１電極部材６１は、矩形枠６６ａで縁取られたメッシュ状電極６６と前記矩形枠６６ａの図６中左上部に設けられた端子部としての端子板６７とから構成されている。また、第２電極部材６２は、矩形枠６８ａで縁取られ前記メッシュ状電極６６よりも目が粗いメッシュ状電極６８と前記矩形枠６８ａの図６中左下部に設けられた端子部としての端子板６９とから構成されている。
【００２９】
前記スペーサ６３，６４は、いずれも難燃性のシリコンゴムから構成されており、左右に並んだ２個の矩形状の窓部６３ａ，６４ａを有する枠状に構成されている。前記スペーサ６３，６４のうち前記窓部６３ａ，６４ａを区画する部分を除く部分は、前記第１及び第２電極部材６１及び６２の矩形枠６１ａ及び６２ａと略同じ形状に構成されている。前記スペーサ６３，６４のうち光触媒モジュール６５側の面には、多数の凸部７０（図６ではスペーサ６３の凸部７０のみ示す）が設けられている。
【００３０】
前記光触媒モジュール６５は、多孔質状のセラミック（アルミナ、シリカ等）からなる矩形板状のコア材の表面に酸化チタン等の光触媒材料を塗布し、乾燥または焼結させて固定することにより構成されている。前記第１及び第２電極部材６１及び６２のメッシュ状電極６６及び６８、スペーサ６３及び６４、光触媒モジュール６５の左右方向及び上下方向の長さ寸法は、いずれも略同じに設定されている。
【００３１】
前記第１ケース５８は、図６中上部に開口を有する収容凹部７１と、この収容凹部７１の図８中左部に設けられた一対の凹状の端子配置部７２，７３とを有して構成されている。前記収容凹部７１には、第１電極部材６１のメッシュ状電極６６、スペーサ６３、光触媒モジュール６５、スペーサ６４、第２電極部材６２のメッシュ状電極６８が順に収容されるように構成されている。前記端子配置部７２，７３には、第１電極部材６１及び第２電極部材６２の端子板６７及び６９がそれぞれ配置されるように構成されている。前記端子配置部７２，７３の底面は同じ高さ位置であって、前記収容凹部７１の底面よりも上方に位置するように構成されている。
【００３２】
前記収容凹部７１の底部には、前記スペーサ６３及び６４の窓部６３ａ及び６４ａと対応する略矩形状の窓部７１ａが左右に並んで設けられている。また、前記収容凹部７１の図６中前後側部には、位置決め凹部７４及び１対の嵌合部７５がそれぞれ設けられている（図６においては前側部の位置決め凹部７４のみ示す）。更に、前記収容凹部７１の図６中右側部には、位置決め凹部７６が設けられている。前記嵌合部７５は、その左右部に切欠７５ａが設けられており、以て弾性変形可能とされている。
【００３３】
各端子配置部７２，７３の図６中前後側部の左端部には、それぞれ嵌合部７７，７８が設けられている。前記嵌合部７７，７８は、その右側にそれぞれ切欠７７ａ，７８ａが設けられており、以て弾性変形可能とされている。また、前記端子配置部７２，７３の図６中左端面部は開口しており、その下部に端子挿入口９０ａ，９０ｂを有するリブ９１ａ，９１ｂが設けられている。前記端子挿入口９０ａ，９０ｂは、外方から内方に向かって開口が小さくなるようにその周囲部及びリブ９１ａ，９１ｂの上面部が傾斜面状に構成されている。
【００３４】
前記第２ケース５９は、第１ケース５８に図６中上方から嵌め込むように構成されており、前記収容凹部７１に対応し下方に凸となる収容凸部７９と、各端子配置部７２，７３に対応し下方に凸となる端子配置部８０，８１とから構成されている。前記収容凸部７９の図６中下面部には、前記窓部７１ａに対向する矩形状の窓部７９ａが左右に並んで設けられている。
【００３５】
前記第２ケース５９のうち前記収容凸部７９の図６中前後側部及び右側部には、位置決め凸部８２，８３が設けられている。また、第２ケース５９のうち収容凸部７９の図６中前後側部及び各端子配置部８０，８１の前後側部には、爪部８４〜８６が設けられている。前記爪部８４〜８６の左右部には、それぞれ切欠８４ａ〜８６ａが設けられており、弾性変形可能に構成されている。
【００３６】
図７は第２ケース５９を図６中下方側からみた斜視図であり、この図７に示すように、前記端子配置部８０，８１の下面のうち幅方向の中央部には、長手方向に延びる溝部９２ａ，９２ｂが設けられている。
【００３７】
さて、前記第１ケース５８の端子配置部７２に第１電極部材６１の端子板６７を配置すると共に収容凹部７１に第１電極部材６１のメッシュ状電極６６、スペーサ６３、光触媒モジュール６５、スペーサ６４、第２電極部材６２のメッシュ状電極６８を順に配置し、更に第２電極部材６２の端子板６９を端子配置部７３に配置した後、第２ケース５９を第１ケース５８に嵌め込み、爪部８４〜８６を嵌合部７５，７７，７８にそれぞれ嵌合させることにより光触媒組立２９が構成される。
【００３８】
つまり、第１電極部材６１の端子板６７は、一対の端子配置部７２，８０間に、第２電極部材６２の端子板６９は、一対の端子配置部７３，８１間に挟み込まれた状態で支持される。従って、本実施例においては、一対の端子配置部７２，８０及び一対の端子配置部７３，８１がそれぞれ一対の支持手段を構成する。また、嵌合部７７，７８及び爪部８５，８６が係合手段を構成する。
【００３９】
ここで、第１ケース５８に第２ケース５９を嵌合してなるケース６０の構成について図８ないし図１０を参照しながら説明する。図８はケース６０の平面図、図９は図８中Ｘ１−Ｘ１線に沿う断面図、図１０は図８中Ｘ２−Ｘ２線に沿う断面図である。
【００４０】
これらの図に示すように、位置決め凸部８２，８３が位置決め凹部７４，７６に係止されることにより、収容凹部７１と収容凸部７９との間には所定の空間Ｓが確保される。前記空間Ｓは、メッシュ状電極６６、スペーサ６３、光触媒モジュール６５、スペーサ６４、メッシュ状電極６８を重ね合わせた厚み寸法と略同じに設定されている。従って、メッシュ状電極６６、スペーサ６３、光触媒モジュール６５、スペーサ６４、メッシュ状電極６８は過圧縮されることなく収容凹部７１と収容凸部７９との間に配置される。上記構成により、非常に脆く壊れやすい光触媒モジュール６５が、第２ケース５９を第１ケース５８に嵌め込む際に破損してしまうことを極力防止できる。
【００４１】
また、第２ケース５９の端子配置部８０及び８１を第１ケース５８の端子配置部７２及び７３にそれぞれ嵌合することにより一対の端子支持部８７，８８が構成される。このとき、端子配置部８０，８１の下面のうち溝部９２ａ，９２ｂを除く部分が端子配置部７２，７３の内底面に当接するように構成されている。従って、端子板６７，６９は、その幅方向の両端部において端子配置部７２，７３と端子配置部８０，８１とにより挟み込まれるように支持される。
【００４２】
ところで、端子配置部７２と収容凹部７１との境界部分には収容凹部７１の底部から端子配置部７２の底部に向かって上方に傾斜する傾斜部９３が設けられている。また、端子配置部８０と収容凸部７９との境界部分には、収容凸部７９の下面から下方に延びる壁部９４及び前記壁部９４の下端部から前記傾斜部９３に沿って傾斜する傾斜部９５が設けられている。これにより、空間Ｓ内の最下部に配置される第１電極部材６１の端子板６７は上方に屈曲されつつその端部が端子配置部７２及び８０の間に案内される。
【００４３】
一方、端子配置部７３と収容凹部７１との境界部分には、収容凹部７１の底部から上方に延びる壁部９６及び前記壁部９６の上端部から端子配置部７３の底部に向かって下方に傾斜する傾斜部９７が設けられている。また、端子配置部８１と収容凸部７９との境界部分には、前記傾斜部９７に沿って傾斜する傾斜部９８が設けられている。これにより、空間Ｓ内の最上部に配置される第２電極部材６２の端子板６９は下方に屈曲されつつを端子配置部７３及び８１の間に案内される。
【００４４】
さて、図１１に示すように、端子挿入口９０ａ，９０ｂと２次側端子３４ａ，３４ｂとが対向するように光触媒組立２９と昇圧トランス２８とを対向配置し、前記２次側端子３４ａ，３４ｂを前記端子挿入口９０ａ，９０ｂに差し込み、端子板６７，６９と端子配置部７２，７３の底部との間に挿入する。すると、端子板６７，６９は弾性変形してその幅方向中央部が溝部９２ａ，９２ｂに押し込まれる。この結果、図１３及び図１４に示すように、２次側端子３４ａ，３４ｂは端子板６７，６９の復元力により端子配置部７２，７３の底部に強く押しつけられた状態で端子板６７，６９と端子配置部７２，７３との間に挟持され、以て、２次側端子３４ａ，３４ｂと端子板６７，６９とが接続される。
【００４５】
また、このとき、端子支持部８７，８８は、昇圧トランス２８の壁部３５ａ，３５ｂにより図１３及び図１４における左右両側から挟み込まれる。更に、昇圧トランス２８の爪部３６ａ，３６ｂは、図１２に示すように端子支持部８７，８８の切欠７７ａ，７８ａに係止され、以て、昇圧トランス２８が光触媒組立２９に固定される。
【００４６】
このように２次側端子３４ａ，３４ｂと端子板６７，６９とを接続してなる昇圧トランス２８及び光触媒組立２９は、第１ケース５８が前部に位置するようにトランス室３２及び冷気流通室３７に配置される。このとき、冷気流通室３７のうち前記光触媒組立２９の右部には冷気を当該光触媒組立２９を通過させずに後方に向かわせるためのバイパス８９（図４参照）が形成されるようになっている。
【００４７】
そして、上記構成の冷蔵庫において冷蔵室３の冷却運転が行われると、コンプレッサ２４より吐出される冷媒が冷蔵用冷却器３ａに供給されると共に、前記冷蔵用ファン装置１９及び前記脱臭装置５が運転される。
【００４８】
すると、冷却器室９内の冷気の一部は、図１に矢印で示すように、冷気吐出部２０から上ケース１１内に吐出され冷気流出孔１２ａを通って冷気通路１３内に放出される。冷気通路１３内に吐出された冷気は下ケース１０の前面及び下面に沿って流れ、冷気吸入口２２を通って冷却器室９内に戻される。
【００４９】
これに対して、冷却器室９内の冷気の残りは、冷気ダクト１７を通って上昇し、冷気吐出孔１８及び冷気ダクト１７の上端部から冷蔵室３内に吐出される。冷蔵室３内に吐出された冷気は、チルドケース１４の下方の冷気通路１５を通り、大部分は仕切板６に形成された流通口５０や水抜き孔５１を介して野菜室７に直接流入する。そして、冷気通路１５を通る冷気の残りはルーバ４４を介して脱臭装置５の冷気流通室３７に流入する。
【００５０】
冷気流通室３７に流入した冷気の一部は、光触媒組立２９を通過した後、オゾン分解触媒３０に至る。また、冷気流通室３７に流入した冷気の残りは、バイパス８９を通ってオゾン分解触媒３０に至る。
【００５１】
光触媒組立２９においては、メッシュ状電極６６，６８間に昇圧トランス２８を介して高圧電圧が印加され放電が行われることによって、紫外線（波長３８０ｎｍ以下）やオゾンが発生する。そして、この紫外線が光触媒モジュール６５に照射されると、酸化チタンがその紫外線の光エネルギーを受け活性を帯びて光触媒作用をなし、冷気に含まれているアンモニア等の臭気成分やエチレンガスを分解する。
【００５２】
また、高電圧放電によって発生したオゾンは、光触媒組立２９を通過した冷気及びバイパス８９を通過した冷気と共にオゾン分解触媒３０に至る。このとき、光触媒組立２９の方がオゾン分解触媒３０よりも幅寸法が小さいが、カバー２６の下面に設けられたオゾン拡散部材４６により、光触媒組立２９で発生したオゾンはオゾン分解触媒３０の全体に拡散される。オゾン分解触媒３０では、オゾンが分解されて活性酸素が発生し、その活性酸素の酸化力によって冷気に含まれているアミン系やアンモニア等の臭気成分が酸化分解される。即ち、冷気中のエチレンガスは光触媒モジュール６５において、アミン系やアンモニア等の臭気成分は光触媒モジュール６５及びオゾン分解触媒３０の両方において分解される。
【００５３】
脱臭装置５において脱臭された冷気は、格子枠部４０の通気孔４０ａ及び開口５２を通って野菜室７に流入する。そして、冷気通路１３を通り、下ケース１０の前面及び下面に沿って流れた後、冷気吸込口２２を介して冷却器室９に戻される。
【００５４】
このように本実施例によれば、冷蔵室３内を循環する冷気の脱臭を行う脱臭装置５において、昇圧トランス２８の２次側端子３４ａ，３４ｂを、光触媒組立２９の端子支持部８７，８８に設けられた端子挿入口９０ａ，９０ｂに挿入するだけで、前記２次側端子３４ａ，３４ｂと第１及び第２電極部材６１及び６２とを接続できるように構成したので、接続作業を簡単に行うことができる。
【００５５】
また、端子配置部８０，８１に溝部９２ａ，９２ｂを設け、端子配置部７２，７３と端子板６７，６９との間に挿入された２次側端子３４ａ，３４ｂを、前記に溝部９２ａ，９２ｂ内に押し入れられた端子板６７，６９自身の復元力により端子配置部７２，７３と端子板６７，６９との間に強く挟持するように構成した。従って、２次側端子３４ａ，３４ｂと端子板６７，６９とを確実に接続することができる。
【００５６】
更に、昇圧トランス２８に端子支持部８７，８８を覆う壁部３５ａ，３５ｂを設けた。このため、端子配置部８０，８１と端子配置部７２，７３との嵌合が外れてしまうことを極力防止でき、２次側端子３４ａ，３４ｂと端子板６７，６９との接続をより確実なものにすることができる。
【００５７】
更にまた、前記２次側端子３４ａ，３４ｂと端子板６７，６９とを接続したときに爪部３６ａ，３６ｂを光触媒組立２９の切欠７７ａ，７８ａに係止させて昇圧トランス２８を光触媒組立２９に固定するように構成した。このため、端子板６７，６９と端子配置部７２，７３との間から２次側端子３４ａ，３４ｂが抜け出て２次側端子３４ａ，３４ｂと端子板６７，６９との接続が外れてしまうことを極力防止できる。特に本実施例では、爪部８５，８６と嵌合部７７，７８との係合を緩めるために設けた切欠７７ａ，７８ａを爪部３６ａ，３６ｂの被係合部として利用したので、被係合部を特別に設けなくても済む。
【００５８】
また、本実施例では、端子挿入口９０ａ，９０ｂの周囲部を傾斜面状に構成して先詰まり状とした。このため、２次側端子３４ａ，３４ｂを端子挿入口９０ａ，９０ｂに容易に挿入することができる。
【００５９】
尚、本発明は上記し且つ図面に記載した実施例にのみ限定されるものではなく、例えば次のような変更が可能である。
本発明の脱臭装置の設置部位としては冷蔵庫内に限定されるものではなく、気体の循環経路であれば適宜の部位に設置することが可能である。
【００６０】
また、放電手段の端子部を支持する一対の支持手段を独立的に構成しても良い。即ち、放電手段の電極部分と端子部部分とを、別体の支持手段としたり、一対の支持手段により端子部を支持することにより電極部分を支持するように、つまり電極部分の支持手段を省略した構成でも良い。
【００６１】
【発明の効果】
以上の説明より明らかなように、本発明の脱臭装置は、棒状の２次側端子を有する昇圧トランスと、前記２次側端子に電気的に接続される帯状の端子部を有し高電圧放電によってオゾン及び紫外線を発生させる放電手段と、前記端子部を両面側から挟み込んで支持する一対の支持手段と、前記紫外線が照射されることにより生じる光触媒作用によって冷気中に含まれる臭気成分や有害物質などの分解を行う光触媒モジュールとを備えるものであって、前記一対の支持手段のうちの一方に溝部を設け、昇圧トランスの２次側端子を、他方の支持手段と端子部との間に前記端子部を前記溝部に押し入れるように挿入して前記端子部と接続されるように構成したので、２次側端子を、前記端子部の復元力により他方の支持手段に強く押しつけた状態で前記端子部と他方の支持手段との間に支持することができ、２次側端子と端子部とを確実に接続することができる。
【図面の簡単な説明】
【図１】本発明の一実施例を示すものであり、本実施例に係る脱臭装置を備えた冷蔵庫の全体構成を示す縦断側面図
【図２】仕切板と脱臭装置の分解斜視図
【図３】仕切板のうち脱臭装置周辺部分の縦断側面図
【図４】脱臭装置の上面図
【図５】カバーを取り外した状態で示す脱臭装置の斜視図
【図６】光触媒組立の分解斜視図
【図７】第２ケースの斜視図
【図８】ケースの平面図
【図９】図８中Ｘ１−Ｘ１線に沿う断面図
【図１０】図８中Ｘ２−Ｘ２線に沿う断面図
【図１１】昇圧トランスと光触媒組立との接続作用を説明するための斜視図
【図１２】昇圧トランスと光触媒組立とを接続した状態で示す平面図
【図１３】図１２中Ｘ３−Ｘ３線に沿う断面図
【図１４】図１２中Ｘ４−Ｘ４線に沿う断面図
【符号の説明】
図中、５は脱臭装置、２８は昇圧トランス、３４ａ，３４ｂは２次側端子、３５ａ，３５ｂは壁部、３６ａ，３６ｂは爪部（係合爪部）、６１は第１電極部材（放電手段）、６２は第２電極部材（放電手段）、６５は光触媒モジュール、６７，６９は端子板（端子部）、７２，７３，８０，８１は端子配置部（支持手段）、７７，７８は嵌合部（係合手段）、８５，８６は爪部（係合手段）、７７ａ，７８ａは切欠、９２ａ，９２ｂは溝部を示す。
【図１】
0003746693.tif 000002
【図２】
0003746693.tif 000003
【図３】
0003746693.tif 000004
【図４】
0003746693.tif 000005
【図５】
0003746693.tif 000006
【図６】
0003746693.tif 000007
【図７】
0003746693.tif 000008
【図８】
0003746693.tif 000009
【図９】
0003746693.tif 000010
【図１０】
0003746693.tif 000011
【図１１】
0003746693.tif 000012
【図１２】
0003746693.tif 000013
【図１３】
0003746693.tif 000014
【図１４】
0003746693.tif 000015